(57)【要約】【課題】対象物の管理及び利用の効率を向上させることが可能な管理システム及び管理プログラムを提供することを目的とする。【解決手段】建設現場内の対象物の予約状況を管理する管理システムであって、対象物の予約状況を管理するサーバ５０の制御部と、サーバ５０の制御部が管理している予約状況をユーザ端末に表示するサーバ５０の制御部と、を備え、サーバ５０の制御部は、ユーザに自動的に予約されない第１予約形態、又は、特定のユーザに自動的に予約される第２予約形態にて、対象物の予約状況を管理し、サーバ５０の制御部は、第２予約形態にて自動的に予約された後に、特定のユーザの予約が解除された場合、第２予約形態にて特定のユーザ以外のユーザが対象物を予約可能とする。【選択図】図１
2019145020.tif 000002
【特許請求の範囲】
【請求項１】
建設現場内の対象物の予約状況を管理する管理システムであって、
前記対象物の予約状況を管理する管理手段と、
前記管理手段が管理している予約状況をユーザ端末に表示する表示手段と、
を備える管理システム。
【請求項２】
前記管理手段は、ユーザに自動的に予約されない第１予約形態、又は、特定のユーザに自動的に予約される第２予約形態にて、前記対象物の予約状況を管理する、
請求項１に記載の管理システム。
【請求項３】
前記管理手段は、前記第２予約形態にて自動的に予約された後に、前記特定のユーザの予約が解除された場合、前記第２予約形態にて前記特定のユーザ以外のユーザが前記対象物を予約可能とする、
請求項２に記載の管理システム。
【請求項４】
前記表示手段は、前記第１予約形態又は前記第２予約形態のうちの少なくとも前記第１予約形態の予約状況を含む表示と、前記第２予約形態の予約状況のみを含む表示を相互に切り替える、
請求項２又は３に記載の管理システム。
【請求項５】
前記管理手段は、前記第２予約形態にて予約された前記対象物を返却する返却要求を受け付けた場合に、当該対象物を返却するための処理を行う、
請求項２から４の何れか一項に記載の管理システム。
【請求項６】
前記管理手段は、前記対象者の予約状況に関連する数値情報を算出し、
前記表示手段は、前記管理手段が算出した前記数値情報を表示する、
請求項１から５の何れか一項に記載の管理システム。
【請求項７】
前記管理手段は、前記建設現場内の前記対象物の現在位置を特定し、
前記表示手段は、前記管理手段が特定した前記対象物の現在位置を前記ユーザ端末に表示する、
請求項１から６の何れか一項に記載の管理システム。
【請求項８】
前記表示手段は、前記管理手段が特定した前記対象物の位置を、前記建設現場に対応する地図上のアイコンとして表示し、
前記表示手段は、前記アイコンを前記管理手段が管理している予約状況に応じた表示態様にて表示する、
請求項７に記載の管理システム。
【請求項９】
建設現場内の対象物の予約状況を管理する管理プログラムであって、
コンピュータを、
前記対象物の予約状況を管理する管理手段と、
前記管理手段が管理している予約状況をユーザ端末に表示する表示手段と、
として機能させる管理プログラム。
【発明の詳細な説明】
【技術分野】
【０００１】
本発明は、管理システム、及び管理プログラムに関する。
【背景技術】
【０００２】
従来、予約対象であるタクシーを遠隔地から予約するタクシー予約システムが知られていた（特許文献１参照）。このタクシー予約システムにおいては、利用者からの予約データ（例えば、予約する旨と目的地等のデータ）を受け付けて、受け付けたデータを目的地周辺のタクシー提供者へ送信することにより、予約していた。
【先行技術文献】
【特許文献】
【０００３】
【特許文献１】特開２００１−３０７２８５号公報
【発明の概要】
【発明が解決しようとする課題】
【０００４】
ところで、例えば、建設現場で用いられる資機材（例えば、高所作業車等）については、元請け業者がレンタルして複数の協力業者が当該レンタルされた資機材を予約した上で利用する運用がとられているので、当該資材を管理者が管理する必要があったが、一般的には、紙面台帳やホワイトボード等の管理媒体に予約状況を記載して管理されていたために、資機材を管理すること、又は資機材を利用することが手間となっていた。すなわち、資機材を管理する場合には、日々変わる予約状況を紙面台帳やホワイトボードに手作業で記載する必要があり手間となり、また、資機材を利用する場合には、紙面台帳やホワイトボードが設置されている場所に訪れて予約状況を確認したり、あるいは、電話等を用いて他者に予約状況の確認を依頼したりする必要があり、手間となっていた。特に、大規模な建設現場で資機材や協力会社の数が増大した場合、当該手間が顕著となる可能性があった。更に、資機材の管理が手間となって不十分になってしまった場合、資機材の予約状況を十分に把握できずに、必要以上にレンタルしてしまい、非効率な運用となってしまう可能性があった。
【０００５】
また、特許文献１の技術（遠隔地から予約対象を予約する技術）を建設現場に応用することも考えられるが、当該応用を行ったとしても、予約は行えるものの予約状況の確認を行うことができず、資機材の管理及び利用の手間を削減することは困難となる可能性があった。
【０００６】
本発明は上記事実に鑑み、対象物の管理及び利用の効率を向上させることが可能な管理システム及び管理プログラムを提供することを目的とする。
【課題を解決するための手段】
【０００７】
上述した課題を解決し、目的を達成するために、請求項１に記載の管理システムは、建設現場内の対象物の予約状況を管理する管理システムであって、前記対象物の予約状況を管理する管理手段と、前記管理手段が管理している予約状況をユーザ端末に表示する表示手段と、を備える。
【０００８】
請求項２に記載の管理システムは、請求項１に記載の管理システムにおいて、前記管理手段は、ユーザに自動的に予約されない第１予約形態、又は、特定のユーザに自動的に予約される第２予約形態にて、前記対象物の予約状況を管理する。
【０００９】
請求項３に記載の管理システムは、請求項２に記載の管理システムにおいて、前記管理手段は、前記第２予約形態にて自動的に予約された後に、前記特定のユーザの予約が解除された場合、前記第２予約形態にて前記特定のユーザ以外のユーザが前記対象物を予約可能とする。
【００１０】
請求項４に記載の管理システムは、請求項２又は３に記載の管理システムにおいて、前記表示手段は、前記第１予約形態又は前記第２予約形態のうちの少なくとも前記第１予約形態の予約状況を含む表示と、前記第２予約形態の予約状況のみを含む表示を相互に切り替える。
【００１１】
請求項５に記載の管理システムは、請求項２から４の何れか一項に記載の管理システムにおいて、前記管理手段は、前記第２予約形態にて予約された前記対象物を返却する返却要求を受け付けた場合に、当該対象物を返却するための処理を行う。
【００１２】
請求項６に記載の管理システムは、請求項１から５の何れか一項に記載の管理システムにおいて、前記管理手段は、前記対象者の予約状況に関連する数値情報を算出し、前記表示手段は、前記管理手段が算出した前記数値情報を表示する。
【００１３】
請求項７に記載の管理システムは、請求項１から６の何れか一項に記載の管理システムにおいて、前記管理手段は、前記建設現場内の前記対象物の現在位置を特定し、前記表示手段は、前記管理手段が特定した前記対象物の現在位置を前記ユーザ端末に表示する。
【００１４】
請求項８に記載の管理システムは、請求項７に記載の管理システムにおいて、前記表示手段は、前記管理手段が特定した前記対象物の位置を、前記建設現場に対応する地図上のアイコンとして表示し、前記表示手段は、前記アイコンを前記管理手段が管理している予約状況に応じた表示態様にて表示する。
【００１５】
請求項９に記載の管理プログラムは、建設現場内の対象物の予約状況を管理する管理プログラムであって、コンピュータを、前記対象物の予約状況を管理する管理手段と、前記管理手段が管理している予約状況をユーザ端末に表示する表示手段と、として機能させる。
【発明の効果】
【００１６】
請求項１に記載の管理システムによれば、管理手段が予約状況を管理し、当該管理手段が管理している予約状況をユーザ端末に表示することにより、例えば、紙面台帳やホワイトボードに予約状況を記載することが不要となり、また、ユーザ端末にて予約状況を確認することができるので、対象物の管理及び利用の効率を向上させることが可能となる。
【００１７】
請求項２に記載の管理システムによれば、ユーザに自動的に予約されない第１予約形態、又は、特定のユーザに自動的に予約される第２予約形態にて、予約状況を管理することにより、例えば、管理システムが適用される現場に適した予約形態にて予約状況を管理することができるので、対象物の管理及び利用の効率を更に向上させることが可能となる。
【００１８】
請求項３に記載の管理システムによれば、第２予約形態にて自動的に予約された後に、特定のユーザの予約が解除された場合、第２予約形態にて特定のユーザ以外のユーザが対象物を予約可能とすることにより、例えば、自動的に予約された特定のユーザ以外のユーザにも対象物を予約されて利用させることができるので、対象物の稼働率を向上させることが可能となる。
【００１９】
請求項４に記載の管理システムによれば、第１予約形態又は第２予約形態のうちの少なくとも第１予約形態の予約状況を含む表示と、第２予約形態の予約状況のみを含む表示を相互に切り替えることにより、例えば、第１予約形態及び第２予約形態について見え方を変えられるので、各ユーザが所望する見え方にすることができ、予約状況の視認性を向上させることが可能となる。
【００２０】
請求項５に記載の管理システムによれば、第２予約形態にて予約された対象物を返却する返却要求を受け付けた場合に、当該対象物を返却するための処理を行うことにより、例えば、対象物が稼動されない状態で放置されることを防止することができるので、対象物を有効利用することが可能となる。
【００２１】
請求項６に記載の管理システムによれば、予約状況に関連する数値情報を算出し、当該算出した数値情報を表示することにより、例えば、予約状況に関連する事項を把握するための客観的な指標を提示することが可能となり、対象物について客観的な判断（例えば、レンタルする対象物を増減させる判断等）を行うことが可能となる。
【００２２】
請求項７に記載の管理システムによれば、対象物の位置を表示することにより、例えば、対象物の位置を把握することができるので、対象物の管理及び利用の効率を向上させることが可能となる。
【００２３】
請求項８に記載の管理システムによれば、対象物の位置を建設現場に対応する地図上のアイコンとして表示し、アイコンを予約状況に応じた表示態様にて表示することにより、例えば、対象物の位置及び当該対象物の予約状況を直観的に把握することができるので、対象物の管理及び利用の効率を向上させることが可能となる。
【００２４】
請求項９に記載の管理プログラムによれば、管理手段が予約状況を管理し、当該管理手段が管理している予約状況をユーザ端末に表示することにより、例えば、紙面台帳やホワイトボードに予約状況を記載することが不要となり、また、ユーザ端末にて予約状況を確認することができるので、対象物の管理及び利用の効率を向上させることが可能となる。
【図面の簡単な説明】
【００２５】
【図１】本実施の形態に係る予約管理システムが適用される建設現場を簡略的に示す側面図である。
【図２】予約管理システムを機能概念的に示すブロック図である。
【図３】ユーザＤＢに格納された情報を例示する図である。
【図４】資機材ＤＢに格納された情報を例示する図である。
【図５】スポット表示での予約画面の表示例を示す図である。
【図６】専用スポット表示での予約画面の表示例を示す図である。
【図７】スポット専用表示での予約画面の表示例を示す図である。
【図８】専用表示での予約画面の表示例を示す図である。
【図９】地図の表示例である。
【図１０】地図からアクセスした予約画面の表示例である。
【図１１】数値情報の表示例である。
【発明を実施するための形態】
【００２６】
以下に添付図面を参照して、この発明に係る建設現場内の対象物の予約状況を管理する管理システムの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２７】
〔Ｉ〕実施の形態の基本的概念
まず、実施の形態の基本的概念について説明する。実施の形態は、管理システム、及び管理プログラムに関する。本発明に係る管理システムは、建設現場内の対象物の予約状況を管理するためのシステムであり、例えば、予約状況を管理するための専用システム、あるいは、汎用的に用いられるコンピュータ（一例としては、サーバ、パーソナルコンピュータ、スマートフォン等の如き携帯端末等）に対して予約状況を管理するための機能を実装することにより実現されるシステム等を含む概念である。また、管理システムは、例えば、管理手段、及び表示手段を備える。
【００２８】
なお、「建設現場」とは、建設に関連する現場であり、例えば、建設予定、建設中、又は建設直後の現場等であり、例えば、建設に関連する建物の各フロア等を含む概念である。
【００２９】
また、「対象物」とは、管理システムの管理の対象となる物であり、具体的には、予約の対象となるものであり、例えば、建設現場で使用される資材や機材等を含む概念である。なお、「資材」とは、例えば、木材やパネルのように動力を有さないものの総称であり、「機材」とは、例えば、高所作業車、フォークリフト、立馬、又はエレベータのように動力を有するものの総称である。また、「予約状況」とは、予約に関連するあらゆる状況又は状態であり、例えば、予約されている状態（以下、「予約状態」）、及び予約されていない状態（以下、「非予約状態」）、適用されている予約形態、あるいは、予約に関する要求（例えば、後述する返却要求の有無）等を含む概念である。
【００３０】
また、「管理手段」とは、対象物の予約状況を管理する手段であり、例えば、ユーザに自動的に予約されない第１予約形態、又は、特定のユーザに自動的に予約される第２予約形態にて、対象物の予約状況を管理したり、また、少なくとも第１予約形態では、対象物の予約期間を定めて管理したり、また、第２予約形態にて自動的に予約された後に、特定のユーザの予約が解除された場合、第２予約形態にて特定のユーザ以外のユーザが対象物を予約可能とする、また、予約された対象物を返却する返却要求を受け付けた場合に、当該対象物を返却するための処理を行ったり、また、対象者の予約状況に関連する数値情報を算出したり、また、建設現場内の対象物の現在位置を特定したりするものである。
【００３１】
なお、「予約状況を管理する」とは、対象物の予約に関連するあらゆる処理を行うことであり、例えば、予約状況を特定する情報の受け付け、格納、又は演算等を行うこと等を含む概念である。また、「第１予約形態」とは、対象物を予約する形態であり、例えば、ユーザに自動的に予約されない形態であり、また、不特定のユーザが公平に利用する機会を得ることが可能な形態であり、また、予約されている期間である予約期間が定められている形態であり、一例としては、予め定められた期間単位（例えば、１日の午前又は午後等）で逐次予約する形態等を含む概念である。また、「第２予約形態」とは、対象物を予約する形態であり、例えば、特定のユーザに自動的に予約される形態であり、また、特定のユーザが優先的に利用する機会を得ることが可能な形態であり、一例としては、予め定められたグループ（例えば、特定のユーザを含むグループであり、会社単位のグループ等）に対して、自動予約を解除されるまで自動的に最初の予約が行われる形態等を含む概念である。なお、「最初の予約」とは、対象物を導入して予約可能な期間が開始した場合に最初に行われる予約である。なお、この「第２予約形態」については、最初の予約が行われた後の予約の変更については任意であり、例えば、最初の予約が行われた後に特定のユーザ以外の不特定のユーザが対象物を利用できるように、最初に行われた予約を期間単位（例えば、１週間のうちの１日又は２日、あるいは、全期間等）で解除できるようにしてもよいし、あるいは、最初の予約が行われた後には、第２予約形態の自動予約を解除されるまでは、最初に行われた予約を変更できないようにしてもよいが、以下の実施の形態においては、前者の場合について説明する。
【００３２】
また、「表示手段」とは、管理手段が管理している予約状況をユーザ端末に表示する手段であり、例えば、第１予約形態又は第２予約形態のうちの少なくとも第１予約形態の予約状況を含む表示と、第２予約形態の予約状況のみを含む表示を相互に切り替えたり、また、管理手段が算出した数値情報を表示したり、また、管理手段が特定した対象物の位置をユーザ端末に表示したり、また、管理手段が特定した対象物の位置を、建設現場に対応する地図上のアイコンとして表示したり、また、アイコンを管理手段が管理している予約状況に応じた表示態様にて表示したりするものである。
【００３３】
なお、「ユーザ端末」とは、ユーザが個人又はグループで所有する端末であり、具体的には、管理者（例えば、現場監督又は職長等）、利用者（例えば、作業者等）、又は関係者（例えば、設計者等）が共同又は個別に所有する端末装置であり、例えば、パーソナルコンピュータ、スマートフォン等の如き携帯端末、あるいは、据え置き型のコンピュータ等を含む概念である。また、「相互に切り替える」とは、例えば、１つの画面上で表示順序を切り替えて表示すること、及び、表示・非表示を切り替えること等を含む概念である。また、「数値情報」とは、予約に関連する数値の情報であり、例えば、予約対象の現在の在庫数、稼働数、稼働率、予約率等を含む概念である。なお、この「数値情報」の表示形式は任意であり、例えば、グラフ形式、リスト形式、及びテーブル形式等の任意の形式で表示可能である。つまり、ここでの「数値情報を表示」とは、例えば、予約率の遷移をグラフ形式にて表示すること、任意の基準（例えば、協力会社別等）で予約率をランキング表形式で表示すること等を含む概念である。
【００３４】
また、このような「管理システム」の適用場面は任意であり限定するものではないが、例えば、対象物（高所作業車等）について、レンタル会社（リース会社）から元請会社が借り受けて、この借り受けた対象物を、実作業を行う協力会社が予約して利用する場合の管理に適用することもできるし、あるいは、協力会社が元請会社を介さずにレンタル会社から直接借り受ける場合の管理にも適用することができるが、実施の形態では、前者の場合について説明する。
【００３５】
そして、以下に示す実施の形態においては、「管理システム」がサーバにて実現されている場合において、「対象物」として高所作業車を主に例示して説明する。また、「対象物」を例示の構成に置き換えて説明する場合、「高所作業車等」とも称して説明する。
【００３６】
〔ＩＩ〕実施の形態の具体的内容
次に、実施の形態の具体的内容について説明する。
【００３７】
（構成）
まず、本実施の形態に係る予約管理システムについて説明する。図１は、本実施の形態に係る予約管理システムが適用される建設現場を簡略的に示す側面図であり、また、図２は、予約管理システムを機能概念的に示すブロック図である。この図１に示すように、予約管理システムは、受信端末１０、固定ビーコン２０、資機材ビーコン３０、予約端末４０、及びサーバ５０を含む。ここで、受信端末１０、固定ビーコン２０、資機材ビーコン３０は、少なくとも建設現場の対象物が現在存在する位置である現在位置を特定するために用いるものであり、予約端末４０、及びサーバ５０は、少なくとも対象物である高所作業車等の予約状況を管理するために用いられるものである。以下では、これらの各構成要素の構成について、受信端末１０、固定ビーコン２０、及び資機材ビーコン３０については概要を説明し、予約端末４０、及びサーバ５０については詳細を説明する。
【００３８】
（構成‐受信端末）
受信端末１０は、例えば作業員に携帯される端末であって、資機材ビーコン３０及び固定ビーコン２０からの電波を受信する端末である。なお、受信端末１０は複数台存在し、以下では各作業員がそれぞれ１台ずつ受信端末１０を所持して、例えば、当該作業員が高所作業車等で作業を行う場合には、当該受信端末１０を所持した状態で高所作業車等と共に移動することとする。この受信端末１０は、例えば以下ではタブレット型パソコンであるものとするが、その他の機器（例えばノートパソコンやスマートフォン等）でも構わない。
【００３９】
（構成‐固定ビーコン）
固定ビーコン２０は、高所作業車等が存在し得る建設現場内の複数箇所に配置された固定発信器であって、固定ビーコン２０の位置を特定するための情報を含む電波を一定範囲に送信する固定発信器である。この固定ビーコン２０は、具体的には、自身を一意に特定するための固定ビーコンＩＤを電波に付して、周囲の３６０°全方位に向けて電波を発信する。この固定ビーコン２０は、作業員によって建設現場の複数箇所に設置されている。
【００４０】
（構成‐資機材ビーコン）
資機材ビーコン３０は、建設現場内の高所作業車等に取り付けられた資機材発信器であって、具体的には、自身を一意に特定するための資機材ビーコンＩＤを電波に付して、周囲の３６０°全方位に向けて一定範囲に電波を発信する。この資機材ビーコン３０は、作業員によって各高所作業車等に１つずつ取り付けられる。
【００４１】
そして、これらの受信端末１０、固定ビーコン２０、及び資機材ビーコン３０は、サーバ５０側にて、以下に示すように、高所作業車等の現在位置を特定する１つの手法において用いられる。この手法においては、受信端末１０が、固定ビーコン２０からの電波を受信して、当該電波の受信強度を測定し、また、当該電波にて特定される固定ビーコンＩＤを取得し、また、最も受信強度が強い資機材ビーコン３０からの電波（つまり、受信端末１０と共に移動している高所作業車等に設けられている資機材ビーコン３０からの電波）にて特定される資材ビーコンＩＤを取得した上で、前述の測定した受信強度、取得した固定ビーコンＩＤ、及び資機材ビーコンＩＤをサーバ５０に公知の手法で送信することにより、当該サーバ５０側でこの送信された資機材ビーコンＩＤに対応する高所作業車等の位置を特定することが可能となる。すなわち、例えば、各固定ビーコンＩＤと各固定ビーコン２０の設置場所を特定する情報と、資機材ビーコンＩＤと各資機材ビーコンが取り付けられている高所作業車等を特定する情報とをサーバ５０に予め記録した上で、予め記録した情報と受信した固定ビーコンＩＤに基づいて、高所作業車等の周辺の固定ビーコン２０を特定し、当該特定した固定ビーコン２０の周辺位置を高所作業車等が存在する範囲とした上で、前述の受信した受信強度から高所作業車等の現在位置を絞りこむことにより、当該高所作業車等の現在位置を特定することが可能となる。
【００４２】
なお、本実施の形態では、このように、受信端末１０、固定ビーコン２０、及び資機材ビーコン３０を用いて高所作業車等の現在位置を特定する場合について例示するが、この手法の他にも、例えば、ＧＰＳ（Ｇｌｏｂａｌ  Ｐｏｓｉｔｉｏｎｉｎｇ  Ｓａｔｅｌｌｉｔｅ）の技術を用いて現在位置を特定する手法や、建設現場に一定時間間隔で撮像する撮像手段（カメラ等）を設置して、当該撮像手段で撮像した画像についての画像認識により現在位置を特定する手法等を含む任意の手法を適用することができるが、このように、他の手法を適用する場合、受信端末１０、固定ビーコン２０、及び資機材ビーコン３０を省略してもよい。
【００４３】
（構成‐予約端末）
予約端末４０は、ユーザ端末であって、高所作業車等を予約する予約手段であり、サーバ５０と任意の通信ネットワークを介して通信可能に接続されている。なお、予約端末４０は複数台存在し、以下では各ユーザがそれぞれ１台ずつ予約端末４０を所持する場合について説明する。なお、各予約端末４０はいずれも同様に構成できるため、以下ではこのうちの１台についてのみ説明し、他の予約端末４０については説明を省略する。この予約端末４０は、例えば以下ではタブレット型パソコンであるものとするが、その他の機器（例えばノートパソコンやスマートフォン等）でも構わない。
【００４４】
ここで、予約端末４０は、機能概念的に、タッチパッド４１、ディスプレイ４２、通信部４３、制御部４４、及びデータ記録部４５を備えて構成されている。
【００４５】
（構成−予約端末−タッチパッド）
タッチパッド４１は、ユーザの指等で押圧されることにより、当該ユーザから各種操作入力を受け付ける操作手段である。このタッチパッド４１の具体的な構成は任意であるが、例えば、抵抗膜方式や静電容量方式等による操作位置検出手段を備えた公知のものを用いることができる。
【００４６】
（構成−予約端末−ディスプレイ）
ディスプレイ４２は、各種の画像を表示する表示手段である。この、ディスプレイ４２は、後述する各画面を表示する。ディスプレイ４２の具体的な構成は任意であるが、例えば、公知の液晶ディスプレイや有機ＥＬディスプレイの如きフラットパネルディスプレイ等を用いることができる。なお、上記のタッチパッド４１と当該ディスプレイ４２をタッチパネルとして一体形成しても構わない。
【００４７】
（構成−予約端末−通信部）
通信部４３は、サーバ５０との間でネットワークを介した通信を行う通信手段であり、この通信部５３の具体的な種類や構成は任意であるが、例えば、公知の無線通信手段を用いることができる。
【００４８】
（構成−予約端末−制御部）
制御部４４は、予約端末４０を制御する制御手段である。具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様にして構成されていることとする）。
【００４９】
（構成−予約端末−データ記録部）
データ記録部４５は、予約端末４０の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（他の装置のデータ記録部も同様にして構成されていることとする）。
【００５０】
（構成−サーバ）
サーバ５０は、管理システムである。このサーバ５０は、例えばデータセンター等に設置された公知のサーバ等によって構成することができる。ここで、サーバ５０は、概略的に、制御部５１、及びデータ記録部５２を備える。
【００５１】
（構成−サーバ−制御部）
制御部５１は、サーバ５０を制御する制御手段であり、例えば、高所作業車等の予約状況を管理する管理手段であり、また、管理手段が管理している予約状況を予約端末４０に表示する表示手段である。なお、この制御部５１による具体的な処理については、後述する。
【００５２】
（構成−サーバ−データ記録部）
データ記録部５２は、サーバ５０の動作に必要なプログラム及び各種のデータを記録する記録手段である。このデータ記録部５２は、概略的に、ユーザＤＢ５２１、資機材ＤＢ５２２、及び図面ＤＢ５２３を備えている。
【００５３】
（構成−サーバ−データ記録部−ユーザＤＢ）
ユーザＤＢ５２１は、予約端末４０を所持するユーザに関する情報を格納するユーザ情報格納手段である。図３は、ユーザＤＢに格納された情報を例示する図である。この図３に示すように、ユーザＤＢ５２１は、項目「ユーザＩＤ」、項目「氏名」、項目「会社名」、及び項目「パスワード」と、これら各項目に対応する情報とを相互に関連付けて格納する。
【００５４】
ここで、項目「ユーザＩＤ」に対応する情報としては、各ユーザを一意に特定する識別情報が格納されており、例えば「ＵＩＤ０００１」や「ＵＩＤ０００２」のように、アルファベット「ＵＩＤ」と４桁の数字で構成される識別情報が格納される。項目「氏名」に対応する情報としては、各予約端末４０を所持するユーザの氏名が格納されている。項目「会社名」に対応する情報としては、各ユーザの所属先の会社名が格納されている。項目「パスワード」に対応する情報としては、各ユーザのログイン認証を行うためのパスワードが格納されている。
【００５５】
（構成−サーバ−データ記録部−資機材ＤＢ）
図２に戻り、資機材ＤＢ５２２は、建設現場内に存在する高所作業車等に関する情報と、高所作業車等の予約状況を特定するための情報を格納する資機材情報格納手段である。図４は、資機材ＤＢに格納された情報を例示する図である。この図４に示すように、資機材ＤＢ５２２は、項目「資機材ＩＤ」、項目「高車名」、項目「階数」、項目「種類」、項目「専用」、項目「専用会社」、及び項目「予約」と、これら各項目に対応する情報とを相互に関連付けて格納する。
【００５６】
ここで、項目「資機材ＩＤ」に対応する情報としては、高所作業車等を一意に特定するための情報が格納されており、例えば「ＥＩＤ０００１」や「ＥＩＤ０００２」のように、アルファベット「ＥＩＤ」と４桁の数字で構成される識別情報が格納される。項目「高車名」には、高所作業車等の名称を特定する情報が格納されており、例えば、９ｍ高所作業車の１号機を示す「９ｍ１号」、６ｍ高所作業車の１号機を示す「６ｍ１号」等が格納されている。項目「階数」に対応する情報としては、高所作業車等の配置階数を特定するための情報が格納されており、例えば、「１階」や「２階」等が格納される。項目「種類」には、高所作業車等の種類を特定する情報が格納されており、例えば、９ｍ高所作業車を示す「９ｍ高所作業車」、６ｍ高所作業車を示す「６ｍ高所作業車」等が格納されている。項目「専用」に対応する情報としては、高所作業車等が専用と非専用のいずれであるのかを特定する情報が格納されており、例えば、「専用」又は「非専用」のいずれかが格納されている。ここで、「非専用」とは、高所作業車等に前述の第１予約形態が適応されていることを示し、つまり、ユーザに自動的に予約されないことを示している。また、「専用」とは、高所作業車等に前述の第２予約形態が適応されていることを示し、つまり、最初に特定のユーザに自動的に予約さることを示している。項目「専用会社」に対応する情報としては、第２予約形態にて最初に自動的に予約される特定のユーザのグループを特定する情報（〇〇株式会社は、図３のユーザＤＢ５２１の会社名に対応する）が格納されている。なお、当該項目「専用会社」に対応する情報については、第２予約形態が適用されることが前提となっているので、項目「専用」に対応する情報が「専用」となっているものについて格納されることになる。項目「予約」に対応する情報としては、例えば、「２０１７１１１４ａｍ」のように予約が行われている年月日と午前又は午後の区別とを特定する情報（２０１７１１１４ａｍは、２０１７年１１月１４日の午前を示す）と、予約を行ったユーザを特定する情報（ＵＩＤ０００１は、図３のユーザＤＢ５２１のユーザＩＤに対応する）とを、相互に対応付けて構成された情報が格納されている。
【００５７】
（構成−サーバ−データ記録部−図面ＤＢ）
図２に戻り、図面ＤＢ５２３は、建物に関する図面情報を格納する図面情報格納手段であり、例えば、予約管理システムが適用される建設現場の建物の各フロアの地図を特定する図面情報が格納されている。
【００５８】
（処理）
続いて、本実施の形態に係る予約管理システムによって実行される処理について説明する。この処理に先立って、ユーザＤＢ５２１、資機材ＤＢ５２２、及び図面ＤＢ５２３には、上記説明した情報が任意の方法で取得され予め格納されている。この処理は、高所作業車等の予約等を行う予約処理と、表示切替処理と、返却要求処理と、地図表示処理、数値情報表示処理を含んでいる。
【００５９】
（処理−予約処理）
まず、予約処理について説明する。「予約処理」とは、高所作業車等の予約等を行う処理である。ユーザが、予約端末４０のタッチパッド４１を介して任意の方法で自己のユーザＩＤとパスワードを入力することによりログイン要求を行うと、予約端末４０の制御部４４は、これらユーザＩＤとパスワードをサーバ５０に送信する。サーバ５０の制御部５１は、これらユーザＩＤとパスワードの組み合わせがユーザＤＢ５２１に格納されているか否かを判定し、格納されている場合にはログインを許可し、予約画面情報を生成して予約端末４０に送信する。予約端末４０の制御部４４は、この予約画面情報に基づいて、予約画面をディスプレイ４２に表示させる。そして、以下では、第１予約形態での予約処理、第２予約形態での予約処理に分けて説明する。
【００６０】
（処理−予約処理−第１予約形態での予約処理）
まず、第１予約形態での予約処理について説明する。図５は、スポット表示での予約画面の表示例を示す図であり、また、図６は、専用スポット表示での予約画面の表示例を示す図であり、また、図７は、スポット専用表示での予約画面の表示例を示す図であり、図８は、専用表示での予約画面の表示例を示す図である。
【００６１】
なお、「スポット表示での予約画面」、「専用スポット表示での予約画面」、「スポット専用表示での予約画面」、及び「専用表示での予約画面」は、相互に異なる表示状態の予約画面を示しており、相互に切り替え可能となっている予約画面を示している。具体的には、図５の「スポット表示での予約画面」は、「専用」及び「非専用」の予約状況が混在している表示である「専用・非専用混在表示」を表示して、予約状況を管理するための予約画面であり、「スポット」ボタン１１１をユーザがクリックすると表示されるものである。図６の「専用スポット表示での予約画面」は、「専用」のみの予約状況の表示である「専用表示」を、前述の「専用・非専用混在表示」よりも上側に表示して、予約状況を管理するための予約画面であり、「専ス」ボタン１１２をユーザがクリックすると表示されるものである。図７の「スポット専用表示での予約画面」は、前述の「専用・非専用混在表示」を、前述の「専用表示」よりも上側に表示して、予約状況を管理するための予約画面であり、「ス専」ボタン１１３をユーザがクリックすると表示されるものである。図８の「専用表示での予約画面」は、前述の「専用表示」を表示して、予約状況を管理するための予約画面であり、「専用」ボタン１１４をユーザがクリックすると表示されるものである。そして、ユーザが、各ボタンをクリックして表示される予約画面を切り替えることにより、各表示の表示位置を相互に上下に入れ替えて切り替えたり、あるいは、各表示を表示するか否かを切り替えたりすることが可能となる。
【００６２】
図５の予約画面については、まず、項目「予約一覧」を含んで構成されている。この項目「予約一覧」は、項目「階数」と項目「高車名」から構成されており、これら項目「階数」と項目「高車名」に対応する情報として、それぞれ資機材ＤＢ５２２から取得された同一項目名の情報が表示されている。なお、各高車名の下方には、自由記入欄が設けられており、ユーザが任意の情報を記入可能となっている（図５の例では特に記入されていない）。また予約画面の上方には、ログインを行っているユーザの情報として、ユーザＤＢ５２１から取得された会社名（図５の例では「○○株式会社」）と氏名（図５の例では「吉田」）が表示されている。また、予約画面には、月日を特定する情報（図５の例では「１１月１４日」等）と、曜日を特定する情報（図５の例では「月」等）、午前と午後を特定する情報（図５の例では「午前」等）が表示されている。また、予約画面には、ログインしているユーザの会社単位で、現在予約している「非専用」の高所作業車等の現時点の台数を特定する情報（図５の例では、１１月１５日の午前が１台であることを特定する、「１１月１５日」の「午前」に対応する「１」等、及び現時点での合計の予約台数が１台であることを特定する図５の右側寄りの位置の「１台」）が表示されている。
【００６３】
また、予約画面には、予約状況を特定する情報として、「空」、「済」、「不」が表示されている。これらの予約状況を特定する情報は、項目「階数」に対応する情報で特定された階数に配置されている高所作業車等であって、項目「高車名」に対応する情報で特定される高所作業車等に関する、月日を特定する情報によって特定される月日であって、午前と午後を特定する情報によって特定される午前又は午後における予約の状況を特定する情報である（以下、これら月日及び午前又は午後の組み合わせを「予約時間帯」と称する）。このうち、「空」は、予約が行われていないことを示し、例えば、ログインしているユーザが操作可能であることを示し、また、「済」は、ログインしているユーザ又は当該ユーザと同じ会社の他のユーザによって予約が行われていることを示し、例えば、ログインしているユーザが操作可能であることを示しており、また、「不」は、ログインしているユーザの会社以外の会社のユーザによって予約が行われていること、例えば、ログインしているユーザが操作不可能であることを示している。
【００６４】
そして、例えば、図５の符号１２１で示す「空」は、階数「２」に配置されている高車名「９ｍ４号」の高所作業車が、月日「１１月１４日」の「午前」の予約時間帯において、予約が行われていないことを示している。また例えば、図５の符号１２２で示す「済」は、階数「１」に配置されている高車名「９ｍ２号」の高所作業車が、月日「１１月１５日」の「午前」の予約時間帯において、ログインしているユーザ「吉田」又は当該ユーザ「吉田」と同じ会社「〇〇株式会社」の他のユーザによって予約が行われていることを示している。あるいは例えば、図５の符号１２３で示す「不」は、階数「２」に配置されている高車名「９ｍ４号」の高所作業車が、月日「１１月１６日」の「午後」の予約時間帯において、ログインしているユーザ「吉田」と同じ会社「〇〇株式会社」以外の会社のユーザによって予約が行われていることを示している。
【００６５】
これらの情報は、図４の資機材ＤＢ５２２の項目「予約」に対応する情報と、ログイン時にユーザから入力された情報に基づいて、サーバ５０の制御部５１によって予約画面の生成時に特定され表示される。例えば、資機材ＤＢ５２２の上から２段目の情報のように、項目「予約」に対応する情報として、「２０１７１１１５ａｍ−ＵＩＤ０００１」が格納されており、ログイン時にユーザから入力された情報としてユーザＩＤ「ＵＩＤ０００１」が取得されている場合、月日「１１月１５日」の「午前」の予約時間帯にログインしているユーザによって予約が行われていることが特定できるため、予約画面の対応する箇所に「済」を表示する。あるいは、項目「予約」に対応する情報に含まれるユーザＩＤと、ログイン時にユーザから入力された情報に含まれるユーザＩＤが一致しない場合や、これら各ユーザＩＤに基づいてユーザＤＢ５２１を参照することで特定される会社名が一致しない場合には、ログインしているユーザの会社以外の会社のユーザによって予約が行われていることが特定できるため、予約画面の対応する箇所に「不」を表示する。あるいは、資機材ＤＢ５２２の項目「予約」に対応する情報に含まれてない予約時間帯については、予約が行われていないことが特定できるように、予約画面の対応する箇所に「空」を表示する。
【００６６】
そして、高所作業車を使用して実際に作業を担当する協力会社のユーザは、この予約画面において、高所作業車等を予約したり、予約を解除したりすることができる。例えば、予約状況が「空」となっている枠をユーザがクリックすると、予約端末４０の制御部４４は、クリックされた枠に対応する高所作業車等の資機材ＩＤと、クリックされた枠に対応する予約時間帯を示す情報、及びログイン時に取得したユーザＩＤとを、サーバ５０に送信する。サーバ５０の制御部５１は、これらの情報に基づいて、資機材ＤＢ５２２の項目「予約」の該当箇所に予約情報を格納する。また、予約端末４０の制御部４４は、ユーザがクリックした予約画面の枠において、「空」に代えて「済」を表示する。これにて予約が完了する。あるいは、予約状況が「済」となっている枠をユーザがクリックすると、予約端末４０の制御部４４は、クリックされた枠に対応する高所作業車等の資機材ＩＤと、クリックされた枠に対応する予約時間帯を示す情報、及びログイン時に取得したユーザＩＤとを、サーバ５０に送信する。サーバ５０の制御部５１は、これらの情報に基づいて、資機材ＤＢ５２２の項目「予約」の該当箇所に格納されている予約情報を削除する。また、予約端末４０の制御部４４は、ユーザがクリックした予約画面の枠において、「済」に代えて「空」を表示する。これにて予約の解除が完了する。また、サーバ５０の制御部５１は、任意のタイミング（例えば、情報に変更があったタイミング、あるいは、比較的短い数ｍ秒間隔等）で、予約画面の中程に表示されている高所作業車等の現時点の台数を特定する情報を更新する処理を行うが、具体的には、資機材ＤＢ５２２の項目「専用」及び項目「予約」に対応する情報に基づいて、「非専用」で予約されている高所作業車等の現時点の台数を特定する情報を算出し、算出した情報を反映することにより、予約画面の中程に表示されている高所作業車等の現時点の台数を特定する情報を更新する（後述する図８の予約画面の台数を特定する情報についても同様にして更新することとする）。
【００６７】
ただし、このような予約情報の格納の構造や予約時間帯等の特定方法については、公知の任意の構造や方法を採用することができる。このことにより、ユーザは、各資機材の予約状況を視覚的に容易に確認することが可能になる。なお、図５では、図示の便宜上、予約画面を白黒表示している例を示しているが、カラー表示することで視覚効果を一層高めてもよい。例えば、予約状況を「空」、「済」、「不」の文字で表示しているが、この文字が表示されている枠をその予約状況に応じて異なる色（例えば、「空」は「白」、「済」は「青」、「不」は「グレー」等）にて表示してもよい。また、「専用」と「非専用」を区別するため、「専用」の資機材についてはその階数と高車名を「青」で表示し、「非専用」の資機材についてはその階数と高車名を「グレー」で表示してもよい。
【００６８】
（処理−予約処理−第２予約形態での予約処理）
次に、第２予約形態での予約処理について説明する。まず、例えば、高所作業車等をレンタル会社から借り受けた元請会社のユーザは、協力会社のユーザからの要請等を受けて、高所作業車等を協力会社のユーザが第２予約形態にて使用できるように、当該高所作業車を協力会社に割り当てる。具体的には任意であるが、例えば、不図示の管理端末に対して割り当てる対象の資機材ＩＤと割り当てる先の会社名を入力することにより、管理端末が当該入力された資機材ＩＤ及び会社名をサーバ５０に送信し、サーバ５０の制御部５１が、当該送信された資機材ＩＤ及び会社を受信し、資機材ＤＢ５２２において受信した資機材ＩＤに対応する項目「専用」に対応する情報として「専用」を格納し、また、「専用会社」に対応する情報として前述の入力された会社名を格納することにより、割り当てる。なお、この場合、「専用」に対応する資機材ＤＢ５２２の項目「予約」に対応する情報としては、初期値として、項目「専用会社」に対応する情報が特定する会社のユーザのユーザＩＤ（例えば、ユーザＩＤが複数存在する場合、代表者のユーザＩＤが予め定められていることとし、この代表者のユーザＩＤ）を、予約可能な全ての期間と対応付けて格納する。なお、この項目「予約」に対応する情報として、格納可能な期間（例えば、先の１カ月〜２カ月まで等）が予め定められている場合、制御部５１は、時間が経過して新たに格納可能になる毎に初期値を入力することとし、つまり、この割り当てられた会社については、明示的に予約を解除するまでは期間の定めなく高所作業車等が自動的に予約され続けることになる。
【００６９】
そして、この場合、図８の「専用」ボタン１１４をユーザがクリックすると、専用表示での予約画面が表示されて、この予約画面にて管理することが可能となる。
【００７０】
図８の予約画面には、ログインしているユーザの会社単位で、第２予約形態にて予約している高所作業車等の現時点の台数を特定する情報（図８の例では、表示されている全日程で１台であることを特定する「１」等、及び現時点での合計の予約台数が１台であることを特定する図８の右側寄りの位置の「１台」）が表示されている。
【００７１】
また、予約状況を特定する情報として「済」が表示されている（不図示であるが、「空」も表示され得る）。これらの予約状況を特定する情報は、特記する場合を除いて、図５の情報と同様であるが、特に、「済」は、ログインしているユーザ又は当該ユーザと同じ会社の他のユーザによって予約が行われていることを示し、また、例えば、ログインしているユーザが操作可能であることを示しており、また、不図示の「空」は、予約が行われていないこと（あるいは、最初に予約された後に予約が解除されたこと）を示し、例えば、ログインしているユーザが操作可能であることを示すことになる。また、この「空」については、この自動的に予約が割り当てられている会社のユーザが、図５〜図７の自己の予約画面にて確認した場合にも、「空」となっているので、当該自動的に予約が割り当てられている会社のユーザが高所作業車等を利用しない場合には、他社のユーザに利用させることが可能となり、有効利用することが可能となる。
【００７２】
そして、図５の予約画面の場合と同様にして、高所作業車を使用して実際に作業を担当する協力会社のユーザは、この予約画面において、高所作業車等を予約したり、予約を解除したりすることができる。
【００７３】
（処理−表示切替処理）
次に、表示切替処理について説明する。「表示切替処理」とは、図５〜図８の予約画面を切り替えて表示する処理である。ユーザが、予約端末４０のタッチパッド４１を介して図５の「スポット」ボタン１１１をクリックすると、予約端末４０の制御部４４は、公知の通信手段にて、当該ボタンがクリックされた旨の情報を送信する。サーバ５０の制御部５１は、当該情報を受信して、受信した情報に対応する予約画面情報を生成して予約端末４０に送信する。予約端末４０の制御部４４は、この予約画面情報に基づいて、図５の予約画面をディスプレイ４２に表示させる。次に、ユーザが、図８の「専用」ボタン１１４をクリックすると、同様な処理が行われて、図８の予約画面が表示されることになる。次に、ユーザが、図６の「専ス」ボタン１１２をクリックすると、同様な処理が行われて、図６の予約画面が表示されることになる。なお、この図６の予約画面は、画面の上側に図８の予約画面に対応する画面が表示され、また、当該画面の下側に図５の予約画面に対応する画面が表示されるものである。次に、ユーザが、図７の「ス専」ボタン１１３をクリックすると、同様な処理が行われて、図７の予約画面が表示されることになる。なお、この図７の予約画面は、画面の下側に図８の予約画面に対応する画面が表示され、また、当該画面の上側に図５の予約画面に対応する画面が表示されるものである。このように、各ボタンをクリックすることにより、情報の表示位置を切り替えたり、あるいは、表示する情報を切り替えたりすることが可能となる。
【００７４】
（処理−返却要求処理）
次に、返却要求処理について説明する。「返却要求処理」とは、「専用」として割り当てられて会社単位で自動的に予約されるように定められた高所作業車を返却するための処理である。ユーザが、予約端末４０のタッチパッド４１を介して図８の「返却」ボタン１２０をクリックすると、予約端末４０の制御部４４は、公知の通信手段にて、当該ボタンがクリックされた旨の情報を送信する。サーバ５０の制御部５１は、当該情報を受信して、受信した情報が特定するクリックさたボタンに対応する資機材ＩＤを任意の手法で特定し（例えば、クリックされるボタンと資材ＩＤとを相互に対応付ける情報が予め格納されており、この格納されている情報を参照して特定する手法等）、この特定した資材ＩＤに対応する高所作業車等について返却要求があったことを判断して、返却するための処理を行う。ここで行われる処理は任意であるが、例えば、サーバ５０の制御部５１が、高所作業車等をレンタル会社から借り受けた元請会社のユーザが利用する不図示の管理端末に、任意の手法で、返却要求があった旨を示す情報を送信して通知する。この場合、当該元請会社のユーザは、この高所作業車をレンタル会社に返却する判断や、あるいは、第１予約形態にて用いる等の判断を行って、適宜対応する。特に、第１予約形態にて用いると判断した場合、元請会社のユーザは、ユーザが第１予約形態にて使用できるように、例えば、不図示の管理端末に対して割り当を解除する対象の資機材ＩＤを入力することにより、管理端末が当該入力された資機材ＩＤをサーバ５０に送信し、サーバ５０の制御部５１が、当該送信された資機材ＩＤを受信し、資機材ＤＢ５２２において受信した資機材ＩＤに対応する項目「専用」に対応する情報として「専用」から「非専用」に変更し、また、項目「予約」に対応する情報を削除することにより、解除する。
【００７５】
（処理−地図表示処理）
次に、地図表示処理について説明する。「地図表示処理」とは、高所作業車等の地図上の位置を表示する処理である。ユーザが、予約端末４０のタッチパッド４１を介して図５の「ＭＡＰ」ボタン１３１をクリックすると、予約端末４０の制御部４４は、公知の通信手段にて、当該ボタンがクリックされた旨の情報を送信する（なお、図６〜図８の「ＭＡＰ」ボタンをクリックした場合も同様とする）。サーバ５０の制御部５１は、当該情報を受信して、受信した情報が特定するクリックさたボタンに対応する資機材ＩＤを任意の手法で特定し（例えば、返却要求処理で用いた手法と同様な手法等）、以下の処理を行う。具体的には、特定した当該資機材ＩＤに対応する高所作業車の位置を特定した上で、図面ＤＢ５２３の図面情報を取得し、取得した図面情報が特定する地図上に、当該位置を特定した高所作業車等に対応するアイコンを表示する画面情報を生成する。なお、この場合、高所作業車等の予約状況を特定し、特定した予約状況に対応するアイコンを表示する画面情報を生成する。
【００７６】
なお、ここでの高所作業車の位置を特定する手法は任意であり、例えば、前述の各ビーコン等を用いる手法や、ＧＰＳを用いる手法や、画像認識を用いる手法等を適用することができるが、ここでは、例えば、ビーコン等を用いる手法を適用する場合について説明する。具体的には、例えば、サーバ５０のデータ記録部５２に、資機材ＩＤと資機材ビーコンＩＤとを相互に対応付ける情報が格納されていることとし、この情報を用いて位置を特定する対象となる高所作業車に設けられている資機材ビーコンＩＤを特定した上で、前述の手法を用いて、当該資機材ビーコンＩＤに対応する高所作業車等（つまり、図５の「ＭＡＰ」ボタン１３１に対応する高所作業車等）の位置を特定する。
【００７７】
また、ここでの高所作業車等の予約状況を特定する手法は任意であり、例えば、予約状況として、「自社専用車」、「他社専用車」、「スポット車」、「現時間帯予約」、「自社返却リクエスト」、及び「他社返却リクエスト」を特定することとする。なお、「自社専用車」とは、予約画面にログインしているユーザが所属する会社に第２予約形態にて割り当てられている状況であり、例えば、ログインしているユーザのユーザＩＤに対応するユーザＤＢ５２１の項目「会社名」の情報、資機材ＤＢ５２２の項目「専用」及び項目「専用会社」に対応する情報により特定される。また、「他社専用車」とは、予約画面にログインしているユーザが所属する会社以外の会社に第２予約形態にて割り当てられている状況であり、例えば、「自社専用車」と同様にして特定される。また、「スポット車」とは、第１予約形態が適用されており、且つ、現時間帯では予約されていない状況であり、例えば、資機材ＤＢ５２２の項目「専用」及び項目「予約」に対応する情報により特定される。また、「現時間帯予約」とは、第１予約形態が適用されており、且つ、現時間帯で予約されている状況であり、例えば、「スポット車」と同様にして特定される。また、「自社返却リクエスト」とは、予約画面にログインしているユーザが所属する会社に第２予約形態にて割り当てられていた高所作業車について返却要求が行われた状況であり、例えば、返却要求処理で説明した予約端末４０からの情報がデータ記録部５２に記録されていることとし、この記録されている情報と、ログインしているユーザのユーザＩＤに対応するユーザＤＢ５２１の項目「会社名」の情報、及び資機材ＤＢ５２２の項目「専用会社」に対応する情報により特定される。また、「他社返却リクエスト」とは、予約画面にログインしているユーザが所属する会社以外の会社に第２予約形態にて割り当てられていた高所作業車について返却要求が行われた状況であり、例えば、「自社返却リクエスト」と同様にして特定される。そして、特定する手法について具体的には、前述の任意の手法で特定した資機材ＩＤに対応する高所作業車等について、各予約状況の定義中に記載の情報を用いて、予約状況を特定する。
【００７８】
図９は、地図の表示例である。サーバ５０の制御部５１は、例えば、図９に示す高所作業車等を特定するアイコンを、地図上における前述の特定した高所作業車等の位置に対応する位置に、前述の特定した予約情報に対応する表示状態で表示し、また、表示状態と当該状態が特定する予約状況との対応を示す凡例を含む画面情報を生成して予約端末４０に送信する。予約端末４０の制御部４４は、この予約画面情報に基づいて、例えば図９の地図をディスプレイ４２に表示させる。
【００７９】
図１０は、地図からアクセスした予約画面の表示例である。ユーザが、予約端末４０のタッチパッド４１を介して図９のアイコンをクリックすると、当該予約端末４０とサーバ５０との間の適宜の通信及びサーバ５０側の処理が行われて、クリックしたアイコンに対応する高所作業車等の予約画面として、例えば図１０の予約画面がディスプレイ４２に表示され、前述の図５の予約画面での手法と同様な手法で予約及び予約の解除が行われることになる。
【００８０】
（処理−数値情報表示処理）
次に、数値情報表示処理について説明する。「数値情報表示処理」とは、任意の数値情報を任意の形式で表示する処理であり、例えば、特定の日に予約されている高所作業車等の台数を表示する処理である。図１１は、数値情報の表示例である。ユーザが、予約端末４０のタッチパッド４１を介して所定操作を行うと、予約端末４０の制御部４４は、要求する数値情報を特定する情報を送信する。サーバ５０の制御部５１は、この送信された情報を受信して、要求された数値情報について算出する。ここでは、例えば、資機材ＤＢ５２２の項目「予約」に対応する情報の年月日を特定する情報に着目して、特定の日に予約されている高所作業車等の予約総台数を集計（つまり、算出）し、また、ユーザＤＢ５２１の項目「ユーザＩＤ」及び項目「会社名」に対応する情報に着目して、特定の日に予約されている高所作業の会社単位の予約台数を集計して、これらの集計結果を反映して図１１に示画面情報を生成して予約端末４０に送信する。予約端末４０の制御部４４は、この画面情報に基づいて、図１１の数値情報を表示する画面をディスプレイ４２に表示させる。
【００８１】
（本実施の形態の効果）
本実施の形態によれば、サーバ５０の制御部５１が予約状況を管理し、当該サーバ５０の制御部５１が管理している予約状況を予約端末４０に表示することにより、例えば、紙面台帳やホワイトボードに予約状況を記載することが不要となり、また、予約端末４０にて予約状況を確認することができるので、高所作業車等の管理及び利用の効率を向上させることが可能となる。
【００８２】
また、ユーザに自動的に予約されない第１予約形態、又は、特定のユーザに自動的に予約される第２予約形態にて、予約状況を管理することにより、例えば、サーバ５０が適用される現場に適した予約形態にて予約状況を管理することができるので、高所作業車等の管理及び利用の効率を更に向上させることが可能となる。
【００８３】
また、第２予約形態にて自動的に予約された後に、特定のユーザの予約が解除された場合、第２予約形態にて特定のユーザ以外のユーザが対象物を予約可能とすることにより、例えば、自動的に予約された特定のユーザ以外のユーザにも高所作業車等を予約されて利用させることができるので、対象物の稼働率を向上させることが可能となる。
【００８４】
また、第１予約形態の予約状況と、第１予約形態又は第２予約形態のうちの少なくとも第１予約形態の予約状況を含む表示と、第２予約形態の予約状況のみを含む表示を相互に切り替えることにより、例えば、第１予約形態及び第２予約形態について見え方を変えられるので、各ユーザが所望する見え方にすることができ、予約状況の視認性を向上させることが可能となる。
【００８５】
また、第２予約形態にて予約された高所作業車等を返却する返却要求を受け付けた場合に、当該高所作業車等を返却するための処理を行うことにより、例えば高所作業車等が稼動されない状態で放置されることを防止することができるので、高所作業車等を有効利用することが可能となる。
【００８６】
また、予約状況に関連する数値情報を算出し、当該算出した数値情報を表示することにより、例えば、予約状況に関連する事項を把握するための客観的な指標を提示することが可能となり、資機材について客観的な判断（例えば、レンタルする高所作業車等を増減させる判断等）を行うことが可能となる。
【００８７】
また、高所作業車等の位置を表示することにより、例えば、高所作業車等の位置を把握することができるので、高所作業車等の管理及び利用の効率を向上させることが可能となる。
【００８８】
また、高所作業車等の位置を建設現場に対応する地図上のアイコンとして表示し、アイコンを予約状況に応じた表示態様にて表示することにより、例えば、高所作業車等の位置及び当該高所作業車等の予約状況を直観的に把握することができるので、高所作業車等の管理及び利用の効率を向上させることが可能となる。
【００８９】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００９１】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。具体的には、サーバ５０の少なくとも一部の機能を予約端末４０に設けて、予約端末４０にて管理システムを構成してもよい。
【００９２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００９３】
（数値情報の表示について）
また、上記実施の形態においては、数値情報として図１１の情報を表示する場合について説明したが、これに限らない。例えば、予約端末４０側からの任意の要求に応じて、サーバ５０の制御部５１が、在庫数、稼働数、又は稼働率を、時間に対して遷移する遷移グラフ形式、あるいは、会社別のラインキング表形式等にて表示する画面情報を生成して送信することにより、当該画面情報が特定する画面をディスプレイ４２に表示させてもよい。なお、「在庫数」とは、特定の日又は期間にける予約されていない高所作業車等の台数を示す数値であり、また、「稼働数」とは、特定の日又は期間における予約されている高所作業車等の台数を示す数値であり、また、「稼働率」とは、特定の高所作業車についての特定の期間に対する、当該特定の期間中に予約されている期間の比率を特定する数値である。そして、これらの各数値を演算して、数値として、あるいは、遷移グラフ形式で、あるいは、会社別のランキング表形式等で表示させることにより、高所作業車等のレンタル数の妥当性の判断を行ったり、あるいは、協力会社の管理を行ったりすることに役立てることが可能となる。
【００９４】
（過去の情報の編集について）
また、上記実施の形態における、資機材ＤＢ５２２の項目「専用」、項目「専用会社」、及び項目「予約」に対応する情報を、これらの情報が格納された時間と共に、データ記録部５２に履歴として蓄積することにより、当該蓄積した情報を用いて過去の予約状況を図５等の予約画面に表示させたり、あるいは、当該予約画面へのクリック操作等にて履歴の情報を編集して過去の情報を編集したりできるように構成してもよい。このように構成する場合、タッチパッド４１に対してスワイプ操作又はフリック操作を入力することにより、過去の情報が反映された予約画面が表示されるように構成してもよい。
【００９５】
（適用単位について）
また、上記実施の形態の適用単位を任意に変更してもよく、例えば、前述の図５等の「空」、「済」、「不」については、ユーザ単位で区別できるように処理してもよいし、あるいは、会社単位で区別できるようにしてもよい。また、ユーザ毎に区別できるように処理する場合、例えば、ユーザＩＤを会社内で共通にすることにより、会社単位で区別するようにしてもよい。
【００９６】
（付記）
付記１の管理システムは、建設現場内の対象物の予約状況を管理する管理システムであって、前記対象物の予約状況を管理する管理手段と、前記管理手段が管理している予約状況をユーザ端末に表示する表示手段と、を備える。
【００９７】
付記２の管理システムは、付記１に記載の管理システムにおいて、前記管理手段は、ユーザに自動的に予約されない第１予約形態、又は、特定のユーザに自動的に予約される第２予約形態にて、前記対象物の予約状況を管理する。
【００９８】
付記３の管理システムは、付記２に記載の管理システムにおいて、前記管理手段は、前記第２予約形態にて自動的に予約された後に、前記特定のユーザの予約が解除された場合、前記第２予約形態にて前記特定のユーザ以外のユーザが前記対象物を予約可能とする。
【００９９】
付記４の管理システムは、付記２又は３に記載の管理システムにおいて、前記表示手段は、前記第１予約形態又は前記第２予約形態のうちの少なくとも前記第１予約形態の予約状況を含む表示と、前記第２予約形態の予約状況のみを含む表示を相互に切り替える。
【０１００】
付記５の管理システムは、付記２から４の何れか一項に記載の管理システムにおいて、前記管理手段は、前記第２予約形態にて予約された前記対象物を返却する返却要求を受け付けた場合に、当該対象物を返却するための処理を行う。
【０１０１】
付記６の管理システムは、付記１から５の何れか一項に記載の管理システムにおいて、前記管理手段は、前記対象者の予約状況に関連する数値情報を算出し、前記表示手段は、前記管理手段が算出した前記数値情報を表示する。
【０１０２】
付記７に記載の管理システムは、付記１から６の何れか一項に記載の管理システムにおいて、前記管理手段は、前記建設現場内の前記対象物の現在位置を特定し、前記表示手段は、前記管理手段が特定した前記対象物の現在位置を前記ユーザ端末に表示する。
【０１０３】
付記８の管理システムは、付記７に記載の管理システムにおいて、前記表示手段は、前記管理手段が特定した前記対象物の位置を、前記建設現場に対応する地図上のアイコンとして表示し、前記表示手段は、前記アイコンを前記管理手段が管理している予約状況に応じた表示態様にて表示する。
【０１０４】
付記９の管理プログラムは、建設現場内の対象物の予約状況を管理する管理プログラムであって、コンピュータを、前記対象物の予約状況を管理する管理手段と、前記管理手段が管理している予約状況をユーザ端末に表示する表示手段と、として機能させる。
【０１０５】
（付記の効果）
付記１に記載の管理システムによれば、管理手段が予約状況を管理し、当該管理手段が管理している予約状況をユーザ端末に表示することにより、例えば、紙面台帳やホワイトボードに予約状況を記載することが不要となり、また、ユーザ端末にて予約状況を確認することができるので、対象物の管理及び利用の効率を向上させることが可能となる。
【０１０６】
付記２に記載の管理システムによれば、ユーザに自動的に予約されない第１予約形態、又は、特定のユーザに自動的に予約される第２予約形態にて、予約状況を管理することにより、例えば、管理システムが適用される現場に適した予約形態にて予約状況を管理することができるので、対象物の管理及び利用の効率を更に向上させることが可能となる。
【０１０７】
付記３に記載の管理システムによれば、第２予約形態にて自動的に予約された後に、特定のユーザの予約が解除された場合、第２予約形態にて特定のユーザ以外のユーザが対象物を予約可能とすることにより、例えば、自動的に予約された特定のユーザ以外のユーザにも対象物を予約されて利用させることができるので、対象物の稼働率を向上させることが可能となる。
【０１０８】
付記４に記載の管理システムによれば、第１予約形態又は第２予約形態のうちの少なくとも第１予約形態の予約状況を含む表示と、第２予約形態の予約状況のみを含む表示を相互に切り替えることにより、例えば、第１予約形態及び第２予約形態について見え方を変えられるので、各ユーザが所望する見え方にすることができ、予約状況の視認性を向上させることが可能となる。
【０１０９】
付記５に記載の管理システムによれば、第２予約形態にて予約された対象物を返却する返却要求を受け付けた場合に、当該対象物を返却するための処理を行うことにより、例えば、対象物が稼動されない状態で放置されることを防止することができるので、対象物を有効利用することが可能となる。
【０１１０】
付記６に記載の管理システムによれば、予約状況に関連する数値情報を算出し、当該算出した数値情報を表示することにより、例えば、予約状況に関連する事項を把握するための客観的な指標を提示することが可能となり、対象物について客観的な判断（例えば、レンタルする対象物を増減させる判断等）を行うことが可能となる。
【０１１１】
付記７に記載の管理システムによれば、対象物の位置を表示することにより、例えば、対象物の位置を把握することができるので、対象物の管理及び利用の効率を向上させることが可能となる。
【０１１２】
付記８に記載の管理システムによれば、対象物の位置を建設現場に対応する地図上のアイコンとして表示し、アイコンを予約状況に応じた表示態様にて表示することにより、例えば、対象物の位置及び当該対象物の予約状況を直観的に把握することができるので、対象物の管理及び利用の効率を向上させることが可能となる。
【０１１３】
付記９に記載の管理プログラムによれば、管理手段が予約状況を管理し、当該管理手段が管理している予約状況をユーザ端末に表示することにより、例えば、紙面台帳やホワイトボードに予約状況を記載することが不要となり、また、ユーザ端末にて予約状況を確認することができるので、対象物の管理及び利用の効率を向上させることが可能となる。
【符号の説明】
【０１１４】
１０  受信端末
２０  固定ビーコン
３０  資機材ビーコン
４０  予約端末
４１  タッチパッド
４２  ディスプレイ
４３  通信部
４４  制御部
４５  データ記録部
５０  サーバ
５１  制御部
５２  データ記録部
５２１  ユーザＤＢ
５２２  資機材ＤＢ
５２３  図面ＤＢ
【図１】
2019145020.tif 000003
【図２】
2019145020.tif 000004
【図３】
2019145020.tif 000005
【図４】
2019145020.tif 000006
【図５】
2019145020.tif 000007
【図６】
2019145020.tif 000008
【図７】
2019145020.tif 000009
【図８】
2019145020.tif 000010
【図９】
2019145020.tif 000011
【図１０】
2019145020.tif 000012
【図１１】
2019145020.tif 000013